(57)【要約】      （修正有）【課題】造花の供花に際して、容易に抜き取られず、簡易な構成からなる造花保持具を提供する。【解決手段】造花保持具Ａ１は、供花用容器Ｂ１に挿入可能な保持体１と、この保持体１に貫設された貫通孔と、この貫通孔に造花Ｆの茎部Ｓを挿入するとき、該造花Ｆの茎部Ｓ先端を掛止する掛止部材２とを備え、上記掛止部材２は、上記造花Ｆの茎部Ｓ先端の嵌入を許容するとともに、弾性力により圧着可能な圧入孔８を有する。上記造花保持具Ａ１は、保持体１と掛止部材２のみによって造花Ｆを保持できることから、極めて簡便に造花Ｆを供えることができる。また、保持体１を重量ある材料で構成すれば、造花Ｆが鳥類などによって容易に抜き取られることがない。【選択図】図２
0003172084.tif 000002
【実用新案登録請求の範囲】
【請求項１】
墓石の献花用穴に設置される有底筒状の供花用容器に使用する造花保持具であって、上記供花用容器に挿入可能な保持体と、この保持体に貫設された貫通孔と、この貫通孔に造花の茎部を挿入するとき、該造花の茎部先端を掛止する掛止部材とを備え、上記掛止部材は、上記造花の茎部先端の嵌入を許容するとともに、弾性力により圧着可能な圧入孔を有する掛止部材であることを特徴とする造花保持具。
【請求項２】
前記保持体は、前記供花用容器の深さ方向に長尺な略棒状の保持体であり、この保持体に貫設される前記貫通孔は、該保持体の長手方向に貫設されるとともに、先端付近において径を大きくしてなる貫通孔であり、
前記掛止部材は、上記貫通孔の大径部分に嵌入可能で、かつ、該貫通孔の他の部分に侵入できない大きさの掛止部材であることを特徴とする請求項１記載の造花保持具。
【請求項３】
前記保持体は、有底筒状の供花用容器の内部に嵌合する形状に形成される保持体であることを特徴とする請求項１または２記載の造花保持具。
【請求項４】
前記掛止部材は、弾性変形可能な円形板状の材料で構成され、前記圧入孔は、中心部に貫設されていることを特徴とする請求項１ないし３のうちいずれか１項に記載の造花保持具。
【請求項５】
前記保持体は、該保持体の側面に固着部材を設けてなる保持体であることを特徴とする請求項１ないし４のうちいずれか１項に記載の造花保持具。
【考案の詳細な説明】
【技術分野】
【０００１】
本考案は、お墓に造花を供えるための造花保持具に関し、特に、供花するための供花用容器に使用されるものに関するものである。
【背景技術】
【０００２】
お墓に供花するための供花用容器には、生花が供えられることが一般的である。この生花を供える場合には、その生花を一定期間開花した状態で維持させようとすると、供花用容器の有底状の容器に水を溜めた状態で供花する必要がある。しかし、供花用容器に供花された生花は、お墓参りの後はそのまま放置されることが多く、数日間晴天が続くと供花用容器の水が全て蒸発し、生花は枯れてしまうこととなり、また、その後雨天が続くときには、枯れた生花が腐敗することがある。さらに、供花用容器の内部に溜まる水をカラス等の鳥類が飲もうとするため、供花された生花を荒らすこともある。これらのことから、供花用容器に供花するための花を生花から造花に換えることがしばしば行われているものである。
【０００３】
ところが、生花を造花に換えるだけでは、十分にお墓の周辺の環境を整えることにはならなかった。つまり、供花用容器内に雨水が溜まり蚊が発生することや、造花が褪色するという事態を招来させていた。そこで、角型の蓋部の中心に保持穴を備え、弾性変形する弾性体を備えた取付部を有する造花類保持具が開発された（特許文献１）。また、筒状の収容覆体を有する造花用花立てが発明されている（特許文献２）。
【先行技術文献】
【特許文献】
【０００４】
【特許文献１】特開２００４−２０４５１１号（４頁、図２）
【特許文献２】特開２００４−２９８３９３号（４頁、図２）
【考案の概要】
【考案が解決しようとする課題】
【０００５】
前掲の特許文献１に開示される発明は、蚊の発生を防止するためのものであり、特許文献２に開示される発明は、造花の褪色を防止するためのものであった。
【０００６】
しかしながら、特許文献１にかかる造花類保持具にあっては、蓋部よりも下方に設けられる取付部が弾性変形可能な素材で構成され、上記取付部を花立ての穴に差し込むことにより、穴の内部で取付部が弾性変形し、その状態が維持されることによって固定するものであるから、当該取付部は長期間変形した状態が継続することとなり、その変形における劣化が問題となるものであった。さらに、この発明における弾性体はゴムを想定しているため、屋外では太陽光等による劣化も問題であった。
【０００７】
また、特許文献２にかかる筒状の収容覆体を有する造花用花立てにあっては、造花は、通常時には収容覆体の内部に保管され、使用時のみ収容覆体から外に出されるように構成されるものであった。そのため、使用する際には収容覆体に収納されている造花を取り出して、収容覆体の上部に設置するという手順が必要となり、お墓参りのときにのみ造花を出すことができるが、その後は、供花されていない状況となるものであった。また、花立てに供花するにあたっての準備に時間がかかるという問題もあった。
【０００８】
ところで、上記の従来技術は、構造が複雑で高齢者が簡単に使用できるものではなかった。蚊の発生や造花の褪色については多少は甘受するが、簡便に使用できるものが切望されていた。また、最近では、造花が抜き取られるという事態も発生しており、これを解消できる保持具が切望されていた。
【０００９】
本考案は、上記諸点にかんがみてなされたものであって、その目的とするところは、造花を供えることに際して、容易に抜き取られず、簡易な構成からなる造花保持具を提供することである。
【課題を解決するための手段】
【００１０】
そこで、本考案は、墓石の献花用穴に設置される有底筒状の供花用容器に使用する造花保持具であって、上記供花用容器に挿入可能な保持体と、この保持体に貫設された貫通孔と、この貫通孔に造花の茎部を挿入するとき、該造花の茎部先端を掛止する掛止部材とを備え、上記掛止部材は、上記造花の茎部先端の嵌入を許容するとともに、弾性力により圧着可能な圧入孔を有する掛止部材であることを特徴とする造花保持具を要旨とする。
【００１１】
上記構成によれば、保持体の貫通孔に造花の茎部を挿入するので、造花が保持体によって保持され、安定した状態で造花を供花することができ、掛止部材によって造花の移動を制限することができる。
【００１２】
また、上記考案において、上記保持体は、上記供花用容器の深さ方向に長尺な略棒状の保持体であり、この保持体に貫設される上記貫通孔は、該保持体の長手方向に貫設されるとともに、先端付近において径を大きくしてなる貫通孔であり、上記掛止部材は、上記貫通孔の大径部分に嵌入可能で、かつ、該貫通孔の他の部分に侵入できない大きさの掛止部材とすることもできる。
【００１３】
上記構成によれば、長尺な略棒状の保持体であるため、貫設される貫通孔の長さも長尺となり、造花の茎部を挿入したときには、造花を保持する範囲も長くなるとともに、安定性が増加することになる。また、掛止部材は、上記貫通孔の大径部分には嵌入できるが、該貫通孔の他の部分には侵入できない大きさであるため、掛止部材を貫通孔の内部に収納することができる。
【００１４】
また、上記保持体は、有底筒状の供花用容器の内部に嵌合する形状に形成される保持体とすることもできる。
【００１５】
上記構成によれば、保持体が供花用容器の内部に嵌合することで、上記保持体と供花用容器との間隙の発生を抑制するため、安定した状態で保持体を立設させることができる。
【００１６】
また、上記掛止部材は、弾性変形可能な円形板状の材料で構成され、上記圧入孔は、中心部に貫設されている構成とすることもできる。
【００１７】
上記構成によれば、掛止部材は弾性変形可能な材料で構成されるため、造花の茎部の径が異なる場合であっても、当該掛止部材の圧入孔に上記茎部先端を嵌入させることができる。
【００１８】
さらに、上記保持体は、該保持体の側面に固着部材を設けてなる保持体とすることもできる。
【００１９】
上記構成によれば、供花用容器に固着部材を設けた保持体を挿入することで、上記固着部材が、供花用容器の内壁面と保持体の側面を固着させることとなるので、保持体が供花用容器から容易に離脱することを防ぐことができる。なお、固着部材とは、壁面と側面との両面を固着することができるものであって、両面テープや面ファスナー等の薄肉部材を使用することができる。
【考案の効果】
【００２０】
本考案によれば、保持体と掛止部材のみによって造花を保持できることから、極めて簡便に造花を供えることができる。保持体を重量ある材料で構成すれば、造花が容易に（鳥類などによって）抜き取られることがない。
【００２１】
また、お墓参りの際の供花に際して、造花を使用することにより給水を必要としないので、当然に給水の心配や水が腐ることもない。そして、保持体を供花用容器の内部に嵌合する形状とする場合には供花用容器の内部に雨等が侵入することを防ぐことも可能となり、また、保持体の側面上に、固着部材を取り付ける場合には、供花用容器と保持体を固定することができるので、供花された造花や保持体が容易に離脱せず密着した状態となり、造花の抜き取り防止に効果を発揮することとなり得るのである。
【図面の簡単な説明】
【００２２】
【図１】本考案の第１の実施形態を示す全体図である。
【図２】本考案の第１の実施形態を示す斜視図である。
【図３】（ａ）本考案の第１の実施形態の保持体を示すＩＩＩＡ−ＩＩＩＡ断面図である。（ｂ）本考案の第１の実施形態を示すＩＩＩＢ−ＩＩＩＢ断面図である。
【図４】本考案の第２の実施形態を示す斜視図である。
【図５】（ａ）本考案の第２の実施形態の保持体を示すＶＡ−ＶＡ断面図である。（ｂ）本考案の第２の実施形態を示す断面図である。
【図６】本考案の第３の実施形態を示す斜視図である。
【図７】（ａ）本考案の第３の実施形態の保持体を示すＶＩＩＡ−ＶＩＩＡ断面図である。（ｂ）本考案の第３の実施形態を示す断面図である。
【考案を実施するための形態】
【００２３】
以下、本考案の実施の形態を図面に基づいて説明する。本考案は、墓に供花するための供花用容器に使用される保持具であって、特に造花について使用されるものである。
【００２４】
図１に示すように、第１の実施形態の造花保持具Ａ１は、供花用容器Ｂ１に挿入されることにより使用されるものである。供花用容器Ｂ１は、墓石の一部として石材で製造される花立ての穴に挿入して使用されるものであるところ、その穴に挿入できるように、下部には、均一な外径の有底筒状部分が形成され、上部には、花立ての上端面に当接して、深く挿入されないようにする大径のストッパが形成されている。そこで、本実施形態の造花保持具Ａ１は、造花Ｆを立設させて保持するための保持体１と、造花Ｆを保持体１で掛止させるための掛止部材２とから構成されている。なお、供花用容器Ｂ１は、墓の石碑の前面両側に一対に設置されており、図２に示すように、いわゆるラッパ形状の開口部３と、有底筒状の支持部４で構成されている。
【００２５】
保持体１は、図２に示すように、略棒状の合成樹脂により形成され、供花用容器Ｂ１に挿入可能となっている。保持体１と供花用容器Ｂ１との間に遊びがあると、保持体１の安定性がよくないことから、本実施形態は、保持体１が供花用容器Ｂ１の内部に嵌合する形状としている。すなわち、供花用容器Ｂ１の開口部３と当接する部分は、当該開口部３のラッパ形状に合致する外形であるとともに、支持部４に挿入される部分は円形棒状の外形としている。また、上記保持体１の内部は、図３（ａ）に示すように、中心軸に沿って貫設された貫通孔５を有している。この貫通孔５の先端（下端）付近には、上記貫通孔５よりも径を大きくしてなる大径部６が設けられている。つまり、大径部６とともに貫通孔５が連続して形成されているのである。また、上記大径部６には、掛止部材２が嵌入できるようになっている。なお、大径部６が形成される部分には、貫通孔５の他の部分との境界に底面部７が形成されている。
【００２６】
掛止部材２は、図２に示すように、弾性変形可能な円形板状材料で構成されており、中心部には圧入孔８が貫設されている。上記掛止部材２の圧入孔８には、造花Ｆの茎部Ｓの先端が嵌入され、この掛止部材２の弾性力により茎部Ｓの外周に圧着される。また、掛止部材２の外径は、大径部６の径よりも小さく、かつ、貫通孔５の他の部分の径よりも大きい状態に調整されている。従って、掛止部材２の片方の表面を大径部６の底面部７に当接させることにより、上記掛止部材２は、大径部６には嵌入可能であるが、貫通孔５の他の部分には侵入できず、上記造花Ｆの茎部Ｓの上昇を制限することができるものである。
【００２７】
次に、花立保持具Ａ１に造花Ｆを固定する方法について説明すると、図３（ｂ）に示すように、保持体１に貫設された貫通孔５に造花Ｆの茎部Ｓを挿入し、この茎部Ｓの先端を大径部６の内部に到達するまで突出させる。そして、この状態を維持したままで、突出させた茎部Ｓの先端を掛止部材２の圧入孔８に嵌入しつつ、掛止部材２が底面部７に当接するまで押圧する。
【００２８】
このようにすることで、保持体１に挿入した造花Ｆは、茎部Ｓ上に圧着された掛止部材２により底面部７で掛止されて、造花Ｆの移動が制限されることとなる。この場合に、挿入した造花Ｆを挿入方向と反対方向に引張ると、掛止部材２が抜け止めとなり、造花Ｆが抜け難くなるのである。
【００２９】
そして、保持体１に造花Ｆを挿入して固定した後は、供花用容器Ｂ１の内部に保持体１を挿入して固着する。このとき、保持体１の側面上に、粘着材料（例えば、両面テープ等）による固着部材９により、供花用容器Ｂ１内に保持体１を固着することができる。
【００３０】
このようにすることで、供花用容器Ｂ１と保持体１は、固着部材９により両部材が固着されるので、供花用容器Ｂ１内から保持体１が容易に離脱することを防止することができる。
【００３１】
なお、固着部材９には、接着剤のような接着材料を使用することも可能であり、また、面ファスナーのような貼着材料を使用することも可能である。
【００３２】
上記のように、本実施形態によれば、供花用容器Ｂ１の内部に保持体１が嵌合した状態で固定されることから、供花用容器Ｂ１の内部に雨水が溜まることがない。また、造花Ｆの茎部Ｓを保持体１の貫通孔５に挿入し、裏側から掛止部材２により先端を掛止させればよいことから、非常に簡便に使用することができるものである。
【００３３】
次に、第２の実施形態について説明する。本実施形態に使用される供花用容器Ｂ２は、第１の実施形態とは開口部の形状が異なっており、四角形に形成されている。供花用容器Ｂ２は、図４に示すように、水平方向に広く開口された四角形の開口部１３と、この開口部１３の中心に位置しつつ垂下して形成される有底円筒状の支持部１４から構成されている。
【００３４】
花立保持具Ａ２は、供花用容器Ｂ２に挿入され、図４に示すように、保持体１１と掛止部材１２とから構成されている。
【００３５】
保持体１１は、図４に示すように、供花用容器Ｂ２の内部に嵌合するように形成されており、開口部１３に当接する部分は、四角形の平板部１５であるとともに、支持部１４に挿入される部分は、円形棒状の基部１６となっている。
上記保持体１１の平板部１５および基部１６の内部は、図５（ａ）に示すように、中心軸に沿って貫設された貫通孔１７を有している。この貫通孔１７の先端（下端）付近には、上記貫通孔１７よりも径を大きくしてなる大径部１８が設けられている。つまり、大径部１８とともに貫通孔１７が連続して形成されているのである。また、大径部１８には、掛止部材１２が嵌入できるようになっている。なお、大径部１８が形成される部分には、貫通孔１７の他の部分との境界に底面部１９が形成されている。
【００３６】
掛止部材１２は、図４に示すように、弾性変形可能な円形板状材料で形成されており、中心部には圧入孔２０が貫設されている。上記圧入孔２０には、第１の実施形態と同様に、造花Ｆの茎部Ｓの先端が嵌入され、この掛止部材１２の弾性力により茎部Ｓの外周に圧着される。なお、上記掛止部材１２は、大径部１８には嵌入可能であるが、貫通孔１７には侵入できない大きさとなっている。
【００３７】
なお、花立保持具Ａ２に造花Ｆを固定する方法については、第１の実施形態と同様であるので説明は省略する。
【００３８】
次に、第３の実施形態について説明する。本実施形態に使用される供花用容器Ｂ３は、開口部の形状が丸形で容器の先端部が円錐形となっている。この供花用容器Ｂ３は、円錐形の先端部を地面に刺して使用するものであり、図６に示すように、円形の開口部１１３と、先端が円錐形の有底筒状の支持部１１４で構成されている。なお、供花用容器Ｂ３の材質は、合成樹脂や金属、陶器等の種々のものが存在する。
【００３９】
本実施形態の花立保持具Ａ３は、図６に示すように、保持体１１１と掛止部材１１２とから構成されている。
【００４０】
保持体１１１は、外形が円形棒状に形成されており、この保持体１１１の内部には、図７（ａ）に示すように、中心軸に沿って貫設された貫通孔１１５を有している。この貫通孔１１５の先端（下端）付近には、上記貫通孔１１５よりも径を大きくしてなる大径部１１６が設けられている。つまり、大径部１１６とともに貫通孔１１５が連続して形成されているのである。また、大径部１１６には、掛止部材１１２が嵌入できるようになっている。なお、大径部１１６が形成される部分には、貫通孔１１５の他の部分との境界に底面部１１７が形成されている。
【００４１】
掛止部材１１２は、第１の実施形態と同様に、図６に示すように、弾性変形可能なで円形板状材料で形成されており、中心部には圧入孔１１８が貫設されている。上記掛止部材１１２の圧入孔１１８には、第１の実施形態と同様に、造花Ｆの茎部Ｓの先端が嵌入され、この掛止部材１１２の弾性力により茎部Ｓの外周に圧着される。なお、上記掛止部材１１２は、大径部１１６には嵌入可能であるが、貫通孔１１５には侵入できない大きさとなっている。
【００４２】
ここで、花立保持具Ａ３に造花Ｆを固定する方法については、第１の実施形態と同様であるため説明は省略する。
【００４３】
本実施形態は上記のとおりであるが、本発明の趣旨を逸脱しない範囲において種々の態様をとることができる。例えば、供花用容器の形状は、有底円筒状のものについて説明しているが、この形状に限定されるものではなく、角筒の様な多角形の供花用容器についても使用することができる。この場合には、保持体の外形は、上記供花用容器の形状に合わせて変更することができる。また、掛止部材の形状についても、圧入孔を有する円形板状のものについて説明しているが、この形状に限定されるものではなく、四角形のような多角形のものであっても、本発明の効果を得ることができる。
【符号の説明】
【００４４】
１，１１，１１１  保持体
２，１２，１１２  掛止部材
３，１３，１１３  開口部
４，１４，１１４  支持部
５，１７，１１５  貫通孔
６，１８，１１６  大径部
７，１９，１１７  底面部
８，２０，１１８  圧入孔
９  固着部材
１５  平板部
１６  基部
Ａ１,Ａ２,Ａ３  造花保持具
Ｂ１,Ｂ２,Ｂ３  供花用容器
Ｆ  造花
Ｓ  茎部
【図１】
0003172084.tif 000003
【図２】
0003172084.tif 000004
【図３】
0003172084.tif 000005
【図４】
0003172084.tif 000006
【図５】
0003172084.tif 000007
【図６】
0003172084.tif 000008
【図７】
0003172084.tif 000009